(57)【要約】【課題】  サイフォン作用を利用した水槽内清掃具において、水槽水の吸上流量の調整を簡単に行うことができる。【解決手段】  吸上パイプＰに接続される縮径、拡径可能な導水パイプ１７に流量調整具Ｂを差し込み保持し、この流量調整具Ｂのパイプ保持孔４４に設けたパイプ折曲縁４４ｅに導水パイプ１７を押し当てて折り曲げ、その通路面積を絞り、導水パイプ１７を流れる水の流量を調整するようにした。【選択図】      図１
2010233479.tif 000002
【特許請求の範囲】
【請求項１】
水槽（Ｖ）内の水槽水を、サイフォン作用により吸い上げて水槽（Ｖ）の外へ排水するようにした、水槽内清掃具において、
吸上パイプ（Ｐ）と、この吸上パイプ（Ｐ）に接続される可撓性と弾性を有して縮径、拡径可能な導水パイプ（１７）と、前記吸上パイプ（Ｐ）に設けられて、吸上パイプ（Ｐ）から導水パイプ（１７）へのみ水の流れを許容する一方向弁（Ｖｕ，Ｖｄ）と、前記導水パイプ（１７）の途中に着脱かつスライド可能に差し込み保持される流量調整具（Ｂ）とを備え、
前記流量調整具（Ｂ）は、導水パイプ（１７）への差込口（４３ａ）が開口されるパイプ挿通孔（４３）と、このパイプ挿通孔（４３）に通じるパイプ保持孔（４４）と、このパイプ保持孔（４４）に通じるパイプ狭搾孔（４５）とを有する流量調整孔（４２）が設けられ、前記パイプ保持孔（４４）は、前記パイプ狭搾孔（４５）に対向する一側に、直状のパイプ折曲縁（４４ｅ）が形成されていることを特徴とする流量調整具を備えた水槽内清掃具
【請求項２】
前記パイプ狭搾孔（４５）は、そのパイプ保持孔（４４）側の開口端より奥壁に向かって漸次絞られるテーパ面（４５ｔ）を有して楔状に形成されていることを特徴とする前記請求項１記載の、流量調整具を備えた水槽内清掃具。
【発明の詳細な説明】
【技術分野】
【０００１】
本発明は、観賞魚の飼育用水槽内の汚れた水槽水を水槽外に吸い上げて排水することができ、特に、吸上水の流量を適宜に調整できる流量調整具を備えた水槽内清掃具に関する。
【背景技術】
【０００２】
従来、金魚、熱帯魚、海水魚などの観賞魚の飼育用水槽内の水槽水を、サイフォン作用を利用して、魚糞、残餌などの汚物と共に吸い上げて外部に排水して、水槽内を清掃するようにした、水槽内清掃具が知られている（たとえば、後記特許文献１参照）。
【先行技術文献】
【特許文献】
【０００３】
【特許文献１】特開２０００−２０９９７８号公報
【発明の概要】
【発明が解決しようとする課題】
【０００４】
ところで、かかる清掃具で水槽水の吸い上げ作業を行う際に、吸い上げる水の流量が一定であると、小石、砂利などの細粒物を水槽水と共に吸い上げてしまい、吸上パイプに目詰まりが発生して所期の清掃作業がしにくくなるという不具合がある。
【０００５】
そこで、吸上パイプを通して吸い上げられる水槽水の流量を必要に応じて調整する必要があり、従来では、可撓性の吸上パイプの途中を、作業者が指先にて絞りながら水の吸い上げ作業を行うようにしている。
【０００６】
しかるに、このような作業は面倒であるばかりでなく、所望の流量調整がしにくいという問題がある。
【０００７】
本発明は、かかる実情に鑑みてなされたもので、水槽水を吸い上げる吸上パイプを自在に狭搾調整して清掃具内を流れる水槽水の流量を適宜に調整できるようにして、前記問題を解決できるようにした、新規な流量調整具を備えた水槽内清掃具を提供することを目的とする。
【課題を解決するための手段】
【０００８】
前記目的達成のため、本請求項１の発明は、水槽内の水槽水を、サイフォン作用により吸い上げて水槽の外へ排水するようにした、水槽内清掃具において、
吸上パイプと、この吸上パイプに接続される可撓性と弾性を有して縮径、拡径可能な導水パイプと、前記吸上パイプに設けられて、吸上パイプから導水パイプへのみ水の流れを許容する一方向弁と、前記導水パイプの途中に着脱かつスライド可能に差し込み保持される流量調整具とを備え、
前記流量調整具は、導水パイプへの差込口が開口されるパイプ挿通孔と、このパイプ挿通孔に通じるパイプ保持孔と、このパイプ保持孔に通じるパイプ狭搾孔とを有する流量調整孔が設けられ、前記パイプ保持孔は、前記パイプ狭搾孔に対向する一側に、直状のパイプ折曲縁が形成されていることを特徴としている。
【０００９】
前記目的達成のため、本請求項２の発明は、前記請求項１記載のものにおいて、前記パイプ狭搾孔は、そのパイプ保持孔側の開口端より奥壁に向かって漸次絞られるテーパ面を有して楔状に形成されていることを特徴としている。
【発明の効果】
【００１０】
請求項各項の発明によれば、導水パイプを、流量調整具の直状のパイプ折曲縁に沿って平坦に折り曲げることにより、吸上水の流量調整を簡単容易に行うことができ、その上、流量調整具は、パイプ挿通孔を通して導水パイプへの取り付け、取り外しを何時でも簡単に行うことができるので、水槽内清掃具による水槽水の清掃作業能率を大幅に向上させることができる。
【００１１】
また、請求項２の発明によれば、流量調整孔のパイプ狭搾孔により、吸上水を無段階に流量調整できるので、水槽水の清掃操作を的確に能率よく行うことができる。
【図面の簡単な説明】
【００１２】
【図１】水槽内清掃具の縦断側面図
【図２】図１の２−２線に沿う拡大断面図
【図３】図１の３−３線に沿う拡大断面図
【図４】図１の４−４線に沿う拡大断面図
【図５】図１の５矢視拡大図
【図６】水槽内清掃具の使用状態を示す図
【図７】水槽内清掃具の作用を示す断面図
【図８】水槽内清掃具の使用状態（導水パイプ折曲げ時）を示す図
【図９】図８の９−９線に沿う拡大断面図
【図１０】図９の１０−１０線に沿う断面図
【図１１】導水パイプのパイプ狭搾孔による狭搾状態を示す図
【発明を実施するための形態】
【００１３】
以下、本発明の実施の形態を添付図面に示した本発明の実施例に基づいて説明する。
【００１４】
図１〜５において、水槽内清掃具の主体部をなす吸上パイプＰは、透明な硬質の合成樹脂材により構成されており、水槽Ｖの外からその水槽Ｖの底まで届く長さに形成されると共に先端の開口された真っ直ぐな円筒状の本体部分１と、その基端、すなわち下流端に屈曲して連通接続される把持部分２とより側面視ヘ字状に形成されている。そして、把持部分２はエルボパイプ２Ａと直状パイプ２Ｂとを抜差自在に水密に接続して構成されている。本体部分１と、把持部分２とのなす挟角は、鈍角すなわち約１０５°であり、これにより、この水槽内清掃具を使用するときに、その把持部分２が水槽Ｖの縁にあたり難くなり、その操作性が向上する。
【００１５】
吸上パイプＰの本体部分１と把持部分２との接続部の内部には、多数のスリット３を穿設した截頭円錐形状のストレーナＳが設けられ、このストレーナＳは、残餌や魚糞などの細かい汚物の混入した汚水の自由な通過を許容するが、枯葉、石などの粗い汚物の通過を阻止する。前記ストレーナＳの後端、すなわち出口４には、上流側一方向弁Ｖｕが設けられる。この上流側一方向弁Ｖｕは、ストレーナＳの出口４に連通する弁口５と、この弁口５の一側にヒンジ連結７されて、その弁口５を開閉する弁体６とより構成されており、吸上パイプＰ内を吸い上げられてストレーナＳを通過した水の流れを許容するが、その逆流を阻止するように作用する。
【００１６】
また、前記上流側一方向弁Ｖｕよりの下流側の吸上パイプＰの下流側部分、すなわち把持部分２の中間部内には、下流側一方向弁Ｖｄが設けられる。この下流側一方向弁Ｖｄは、把持部分２内に固定されていて、弁口１０を開口した弁座体９と、この弁座体９にヒンジ連結１２されてその弁口１０を開閉する弁体１１とより構成されている。弁口１０は、円筒体を斜めにカットして楕円形状に形成されており、この弁口１０に開閉する弁体１１も楕円形状に形成されて弁座体９の上部側（清掃具の使用時）にヒンジ連結１２されており、吸上パイプＰ内を流れる水の水圧により下流側一方向弁Ｖｄの開閉が円滑に行われるようにされる。
【００１７】
前記把持部分２の下流端内には、接続パイプ１５が一体に接続され、この接続パイプ１５に導水パイプ１７の上流端が接続されている。導水パイプ１７は塩化ビニールパイプなどよりなる、可撓性と弾性を有して縮径、拡径可能な透明パイプにより構成されている。      
【００１８】
そして、この導水パイプ１７の途中に、後述する流量調整具Ｂが着脱かつスライド可能に差し込み保持される。
【００１９】
図６，８に示すように、前記導水パイプ１７は、前記吸上パイプＰの先端を、水槽Ｖ内の底部に臨ませたとき、その導水パイプ１７の下流端が水槽Ｖの水面よりも下方に達する長さ、すなわち後述する清掃具のサイフォン作用が得られるような長さに形成される。
【００２０】
吸上パイプＰの上部、すなわち、その把持部分２の上壁に吸上操作具Ａが設けられる。把持部分２の上面には、内部に操作室２５を形成した円筒状の操作筒２０が一体に形成されている。この操作筒２０の開口外端より、その操作室２５の内部にシールリング２２を介して押圧釦２１が摺動自在に嵌合される。操作筒２０内において、押圧釦２１の内端と操作筒２０の基端との間に押圧釦２１を外方に突出するように付勢するコイルバネよりなる戻しばね２３が縮設されており、押圧釦２１の内端に固定される案内棒２１ａは、操作筒２０の内端壁２０ａに摺動自在に貫通されている。前記操作筒２０の操作室２５内は、吸上パイプＰ内の上流側および下流側一方向弁Ｖｕ，Ｖｄ間の水通路２４内に連通され、また前記押圧釦２１の外端に押圧面２１ｐが形成されている。押圧釦２１を内方に押圧すれば、この押圧釦２１は戻しばね２３を圧縮して操作室２５内を内方に移動して前記水通路２４を加圧し、上流側一方向Ｖｕを閉じると共に下流側一方向弁Ｖｄを開く。また押圧釦２１の押圧力を解除すれば、戻しばね２３の弾発力で押圧釦２１は外方に移動して元に位置（図１の位置）に戻され、水通路２４が減圧され、これにより上流側一方向弁Ｖｕは開くと同時に下流側一方向弁Ｖｄは閉じる。
【００２１】
前記操作筒２０は、本体部分１と略平行に上方に延長されており、その操作筒２内の操作室２５は、吸上パイプＰ内の水通路２４よりも外れた上方位置にあって、その水通路２４に連通されている。
【００２２】
操作筒２０の、本体部分１側の基部と、把持部分２の上面との跨がって指掛け片３０が一体に形成されており、この指掛け部３０の縁部には、操作者が指を掛ける円弧状の指掛け凹部３１が形成されている。また、指掛け片３０には吊下げ孔３２が開口されている。清掃具の不使用時には、これを、この吊下げ孔３２を利用して適宜のハンガーに吊り下げておくことができる。
【００２３】
図１，５に示すように、導水パイプ１７の途中には、流量調整具Ｂが着脱かつスライド可能に差し込み保持される。この流量調整具Ｂは硬質の合成樹脂材により長方形の板状に形成されており、板状部４０の長手方向の両端に把持部４１が一体に形成されている。板状部４０の中央部分には、流量調整孔４２が開口されている。この流量調整孔４２は、板状部４０の側縁に差込口４３ａを開口したパイプ挿通孔４３と、このパイプ挿通孔４３に通じる三角状のパイプ保持孔４４と、このパイプ保持孔４４に通じる楔状のパイプ狭搾孔４５とよりなり、パイプ狭搾孔４５に対向するパイプ保持孔４４の一側縁に直状のパイプ折曲縁４４ｅが形成され、また、パイプ狭搾孔４５は、その両側に、パイプ保持孔４４側の開口端から奥壁に向かって漸次狭められるテーパ面４５ｔを有して楔状に形成されている。そして、この流量調整孔４２は、後に述べるように、導水パイプ１７の適所に差し込み保持されて、その導水パイプ１７を折り曲げ、あるいはそれを両側から狭搾して、導水パイプ１７を絞るのに用いられる
つぎに、図７〜９を参照して、この実施例の作用について説明する。
【００２４】
図６に示すように、導水パイプ１７の開口自由端をバケツなどの回収槽２６内に進入させてから把持部分２を握って、吸上パイプＰの本体部分１を水槽Ｖの水槽水内に縦方向に浸漬する。このとき、吸上パイプＰ内には、その途中（水面）まで水槽Ｖ内の水が進入することにより、上流側および下流側一方向弁Ｖｕ，Ｖｄはいずれも開弁されて、吸上パイプＰ内のエアの一部が導水パイプ１７へと排出され、そのエアは外気に放出される。
【００２５】
また、導水パイプ１７の適所には、パイプ挿通孔４３の差込口４３ａを通して、流量調整具Ｂが差し込み保持される。このとき、導水パイプ１７は流量調整具Ｂのパイプ保持孔４４を貫通して、流量調整具Ｂは導水パイプ１７に弾性保持され、導水パイプ１７は、自由状態で絞られることはない（図５参照）。
【００２６】
つぎに、図７（Ａ）に示すように、把持部分２を握ったまま、指先にて吸上操作具Ａの押圧釦２１の押圧面２１ｐを、矢印ａに示すように、押圧するとその押圧釦２１は内方に移動する。これにより操作室２５内の容積が減じて、水通路２４内が加圧され上流側一方向弁Ｖｕを閉じると共に下流側一方向弁Ｖｄを開く。
【００２７】
ついで、図７（Ｂ）に示すように、押圧釦２１の押圧を解除すれば、その押圧釦２１は、矢印ｂに示すように、戻しバネ２３の弾発力で外方に移動して操作室２５内の容積が増し、水通路２４内が減圧され、上流側一方向弁Ｖｕを開くと共に下流側一方向弁Ｖｄを閉じる。
【００２８】
図６（Ｃ）に示すように、再度、矢印ａに示すように、押圧釦２１を押圧すると、水通路２４内がふたたび加圧されて上流側一方向弁Ｖｕを閉じると共に下流側一方向弁Ｖｄを開く。
【００２９】
以上、(2) 〜(4) の操作を数回繰り返すことにより、操作室２５内に発生するポンプ作用により水槽Ｖ内の水槽水は、吸上パイプＰ内に強制的に吸い上げられ、以後サイフォン作用により、前記操作を行わずに、吸上パイプＰ内を流れる水は連続流となって水槽Ｖ内の水を外部に排出される。
【００３０】
そして、前述のサイフォン作用による水の排出作用の成立後は、図６に示すように、吸上パイプＰの上流端、すなわち開放自由端を、水槽Ｖ底部の砂利内に進入させると、残餌、魚糞などの細かい汚物を含む汚水を吸上パイプＰおよび導水パイプ１７を通して水槽Ｖ外に吸上排出することができる。そして、その際に、汚水中に含まれる枯葉などの粗い汚物はストレーナＳにより分離される。ストレーナＳにより枯葉などの粗い汚物を分離除去された汚水は、上流側および下流側一方向Ｖｕ、Ｖｄを汚物により詰まらせることがなく、連続した水の吸上排水を円滑に行うことができる。
【００３１】
ところで、水槽水の吸上作業中に、吸上パイプＰ内に発生する吸上力が大きいときは、吸上パイプＰ内に、水槽水と共に砂利などの細かい細粒物が吸上げられて（図６参照）、吸上パイプＰが目詰まりして水槽水の吸い上げがしにくくなる。このとき、図８〜１０に示すように、流量調整具Ｂの把持部４１を把持して、導水パイプ１７をパイプ保持孔４４の直状のパイプ折曲縁４４に押し当て、図１０矢印ｃに示すように、この導水パイプ１７をパイプ折曲縁４４ｅに沿って折り曲げることで、導水パイプ１７の途中を素早く偏平に狭搾することができ、導水パイプ１７の水通路が絞られれて吸上流量を減量調整することができ、吸上パイプＰ内に吸い上げられた前記細粒物を、水槽Ｖ内に戻すことができる。そして、導水パイプ１７の折曲角度を変更するだけで、吸上流量を段階的に調整することができる。
【００３２】
また、導水パイプ１７の折曲を解除すれば、導水パイプ１７は、自己の弾性力で直ちに元の状態に復元されて、通常の吸上作業（導水パイプ１７の絞られない）に戻すことができる。したがって、導水パイプ１７の絞り作業を、水の吸上作業中に随時簡単に行うことができる。
【００３３】
また、図１１（Ａ）から同図（Ｂ）さらに同図（Ｃ）に示すように、流量調整具Ｂを矢印ｄ方向に移動させれば、導水パイプ１７は、パイプ保持孔４４からパイプ狭搾孔４５へ移動され、パイプ狭搾孔４５のテーパ面４５ｔにより、導水パイプ１７の通路面積を無段階に狭搾することができ、吸上流量を無段に調整することができ、この状態で、水槽水の吸上作業を継続することができる。
【００３４】
また、この流量調整具Ｂは、そのパイプ挿通孔４３を通して導水パイプ１７の適所に、容易に差し込んで取り付け、また、そこから抜き取ることができ、この作業は、たとえば、水槽内清掃具の使用中でも簡単に行うことができる。
【００３５】
なお、吸上操作具Ａは吸上パイプＰの上方位置で、操作室２５は吸上パイプＰの水通路２４から外れた位置にあるので、吸上パイプＰ内を汚水と共に細かい細粒物が、吸上パイプＰ内に吸上げられたとしても、その細粒物が操作室２５内に入り、シールリング２２と操作筒２０間に噛み込む虞れがなく、吸上操作具Ａの円滑、的確な作動を保障することができる。
【００３６】
以上、本発明の実施例について説明したが、本発明はその実施例に限定されることなく、本発明の範囲内で種々の実施例が可能である。
【符号の説明】
【００３７】
１７・・・・・・・・・・導水パイプ
４３・・・・・・・・・・パイプ挿通孔
４３ａ・・・・・・・・・差込口
４４・・・・・・・・・・パイプ保持孔
４４ｅ・・・・・・・・・パイプ折曲縁
４５・・・・・・・・・・パイプ狭搾孔
４５ｔ・・・・・・・・・テーパ面
２４・・・・・・・・・・・水通路
Ｂ・・・・・・・・・・・流量調整具
Ｐ・・・・・・・・・・・吸上パイプ
Ｖ・・・・・・・・・・・水槽
Ｖｕ，Ｖｄ・・・・・・・一方向弁
【図１】
2010233479.tif 000003
【図２】
2010233479.tif 000004
【図３】
2010233479.tif 000005
【図４】
2010233479.tif 000006
【図５】
2010233479.tif 000007
【図６】
2010233479.tif 000008
【図７】
2010233479.tif 000009
【図８】
2010233479.tif 000010
【図９】
2010233479.tif 000011
【図１０】
2010233479.tif 000012
【図１１】
2010233479.tif 000013